(57)【特許請求の範囲】
【請求項１】
遊技盤（４）  の裏側に、該遊技盤（４）  側が開放する中空状に構成され且つ該遊技盤（４）  に装着された遊技部品（１３）を裏側から覆う裏カバー（２１）を装着し、該裏カバー（２１）の後壁（２９）に、前記遊技盤（４）  側から後方に突出する前記遊技部品（１３）と干渉しないように後方に張り出す突出部（３０）と、該突出部（３０）よりも低くなった部分とを設け、前記低くなった部分の裏側に、前記遊技盤（４）  側の遊技動作を制御する主制御基板（３４）が収納された主制御基板ケース（３１）と、前記遊技動作に関連して所定の部位を制御する副制御基板（３５）（３６）が収納された副制御基板ケース（３２）（３３）とを着脱自在に装着し、前記突出部（３０）及び前記各制御基板ケース（３１）〜（３３）の後端を、前記遊技盤（４）  から後方への突出量が略同一の略平坦状に構成し、前記主制御基板ケース（３１）と前記副制御基板ケース（３２）（３３）の対向部側に前記主制御基板（３４）と前記副制御基板（３５）（３６）とを接続する電気配線（３７）（３８）を設け、該電気配線（３７）（３８）を覆う保護カバー（５３）を所要部材（３０）〜（３３）に開閉及び／又は着脱自在に設けたことを特徴とする遊技機。
【請求項２】
前記電気配線（３７）（３８）を介して接続された前記基板（３４）〜（３６）を収納する前記基板ケース（３１）〜（３３）の少なくとも一方の基板ケース（３１）に、前記保護カバー（５３）を開閉自在に枢着すると共に、該保護カバー（５３）を前記電気配線（３７）（３８）の保護位置に係脱自在に係止する係止手段（５５）を備えたことを特徴とする請求項１に記載の遊技機。
【請求項３】
前記係止手段（５５）は、前記基板ケース（３１）〜（３３）と前記保護カバー（５３）との一方に一体に形成された係止部（５８）と、他方に一体に形成され且つ前記係止部（５８）に対して係脱自在に係合する係止爪（５９）とを備え、前記係止爪（５９）を前記保護カバー（５３）側から係脱操作可能に構成したことを特徴とする請求項２に記載の遊技機。
【請求項４】
前記保護カバー（５３）の一端側に枢軸（５６）を一体に形成し、前記所要部材（３０）〜（３３）に、前記枢軸（５６）がその軸心方向に挿脱自在で且つ軸心廻りに回動自在に挿入される軸受け部（５７）を一体に形成したことを特徴とする請求項１〜３の何れかに記載の遊技機。
【請求項５】
前記電気配線（３７）（３８）が収まる配線処理部（６２）を前記保護カバー（５３）に一体に形成したことを特徴とする請求項１〜４の何れかに記載の遊技機。
【請求項６】
前記後壁（２９）の略中央上部に前記突出部（３０）を設け、該突出部（３０）の下側に前記主制御基板ケース（３１）を、該突出部（３０）の左右両側に前記副制御基板ケース（３２）（３３）を夫々配置したことを特徴とする請求項１〜５の何れかに記載の遊技機。
【請求項７】
前記保護カバー（５３）を開閉方向に摺動自在に設けたことを特徴とする請求項１〜６の何れかに記載の遊技機。
【発明の詳細な説明】
【０００１】
【発明の属する技術分野】
本発明は、パチンコ機、アレンジボール機、雀球遊技機、回胴式遊技機等の遊技機に関するものである。
【０００２】
【従来の技術】
パチンコ機等の弾球遊技機では、遊技盤の裏カバーの裏側に、主制御基板を収納した主制御基板ケース、ランプ制御基板を収納したランプ制御基板ケース、音声制御基板を収納した音声制御基板ケース等を装着し、その各制御基板を電気配線で相互に接続して、主制御基板により遊技盤側の遊技動作を制御すると共に、主制御基板側からランプ制御基板、音声制御基板へと所定のコマンドを送信して、遊技盤側の遊技状態に応じてランプ制御基板により遊技盤側の表示ランプを、音声制御基板によりスピーカ等の音声発生手段から発生する効果音を夫々制御するようにしている。
【０００３】
【発明が解決しようとする課題】
従来の弾球遊技機では、各制御基板ケースの制御基板を電気配線で相互に接続しているが、各電気配線を覆うための保護対策を何等講じておらず、各制御基板ケース間で電気配線が露出している。このため弾球遊技機本体の前枠を開放したときに、複雑に錯綜する電気配線が露出して単に見栄えが悪いだけでなく、弾球遊技機本体の裏側の点検、或いは遊技盤の着脱等に際して、電気配線を引っ掛けて断線したり、コネクタが損傷する等という問題がある。
【０００４】
本発明は、このような従来の問題点に鑑み、電気配線を保護して見栄えを良くすると共に、電気配線側の断線、損傷等を未然に防止できる遊技機を提供することを目的とする。
【０００５】
【課題を解決するための手段】
本発明は、遊技盤４  の裏側に、該遊技盤４  側が開放する中空状に構成され且つ該遊技盤４  に装着された遊技部品１３を裏側から覆う裏カバー２１を装着し、該裏カバー２１の後壁２９に、前記遊技盤４  側から後方に突出する前記遊技部品１３と干渉しないように後方に張り出す突出部３０と、該突出部３０よりも低くなった部分とを設け、前記低くなった部分の裏側に、前記遊技盤４  側の遊技動作を制御する主制御基板３４が収納された主制御基板ケース３１と、前記遊技動作に関連して所定の部位を制御する副制御基板３５，３６  が収納された副制御基板ケース３２，３３  とを着脱自在に装着し、前記突出部３０及び前記各制御基板ケース３１〜３３の後端を、前記遊技盤４  から後方への突出量が略同一の略平坦状に構成し、前記主制御基板ケース３１と前記副制御基板ケース３２，３３  の対向部側に前記主制御基板３４と前記副制御基板３５，３６  とを接続する電気配線３７，３８  を設け、該電気配線３７，３８  を覆う保護カバー５３を所要部材３０〜３３に開閉及び／又は着脱自在に設けたものである。
【０００６】
【発明の実施の形態】
以下、本発明の実施形態を図面に基づいて説明する。図１〜図７は本発明をパチンコ機等の弾球遊技機に採用した場合の第１実施形態を例示する。図１〜図３において、１  は弾球遊技機本体で、外枠２  と、この外枠２  に開閉自在に枢着された前枠３  を有する。前枠３  には、その窓孔に対応して遊技盤４  が裏側から着脱自在に装着され、また遊技盤４  の前側にガラス扉５  と前面板６  とが開閉自在に配置されている。
【０００７】
前面板６  には、発射用の遊技球を貯留する上皿７  が装着されている。前枠３  の下部には、余剰球を貯留する下皿８  と、発射手段９  の発射ハンドル１０とが夫々設けられている。
【０００８】
遊技盤４  には、ガイドレール１１が環状に装着されると共に、そのガイドレール１１の内側の遊技領域１２に液晶表示手段１３、特別図柄始動手段１４、可変入賞手段１５、普通図柄始動手段１６、普通入賞手段１７等の複数個の遊技部品が配置されている。液晶表示手段１３は主遊技部品を構成するもので、特別図柄を表示する特別図柄表示手段１８を兼用し、また上部に普通図柄表示手段１９が設けられている。
【０００９】
前枠３  の裏側には、図３に示すように、遊技盤４  を裏側から押さえる裏機構板２０が開閉自在に装着されている。裏機構板２０には、遊技盤４  の裏側の裏カバー２１が嵌合する開口部２２が形成され、その上側に遊技球タンク２３及びタンクレール２４が、左右方向の一側に払い出し手段２５が、下側に通路ユニット２６が夫々設けられている。また裏機構板２０の下部には、電源基板ケース２７、払い出し制御基板ケース２８が設けられている。
【００１０】
遊技球タンク２３は、遊技球補給系から補給された遊技球を貯留して、タンクレール２４を経て払い出し手段２５側へと供給するためのものである。払い出し手段２５は、可変入賞手段１５、普通入賞手段１７等に遊技球が入賞したときの賞球払い出し指令、遊技者が自動球貸し機を貸し出し操作したときの球貸し出し指令等に応じて、遊技球タンク２３からの遊技球を上皿７  側へと払い出すためのものである。
【００１１】
裏カバー２１は、遊技盤４  に装着された液晶表示手段１３、可変入賞手段１５等の遊技部品を裏側から覆うためのもので、遊技盤４  側が開放する中空状に構成され、遊技盤４  に着脱自在に装着されている。裏カバー２１の後壁２９には、遊技盤４  側から後方に突出する液晶表示手段１３の後部側と干渉しないように、その略中央上部に突出部３０が設けられている。突出部３０は背面視形状が略四角形状であって、その前側に液晶表示手段１３が収まるように後方に張り出す構造になっている。
【００１２】
裏カバー２１の後壁２９は、図３及び図４に示すように、突出部３０を除く他の部分、即ち突出部３０の下側と左右両側が一段低くなっており、その突出部３０を除く他の部分、即ち突出部３０の下側に主制御基板ケース３１が、突出部３０の左右両側にランプ制御基板ケース３２及び音声制御基板ケース３３が夫々適宜手段を介して着脱自在に装着されている。
【００１３】
突出部３０及び各制御基板ケース３１〜３３は、上下、左右に互いに近接して配置されている。また突出部３０及び各制御基板ケース３１〜３３の後端は略平坦状に構成され、遊技盤４  から後方への突出量が略同一となっている。従って、突出部３０及び各制御基板ケース３１〜３３の後端は、図２に示すように略面一状である。
【００１４】
主制御基板ケース３１は左右方向に長い横長状であって、主として遊技盤４  側の遊技動作を制御する主制御基板３４が収納され、図外の電気配線を介して遊技盤４  側の液晶表示手段１３、特別図柄始動手段１４、可変入賞手段１５、その他の遊技部品に接続されている。
【００１５】
ランプ制御基板ケース３２及び音声制御基板ケース３３は、上下方向に長い縦長状であって、そのランプ制御基板ケース３２には、主制御基板３４からのコマンドにより、遊技盤４  側、その他の箇所の各表示ランプを遊技盤４  側の遊技動作に関連して発光又は点滅制御するランプ制御基板３５が収納されている。また音声制御基板ケース３３には、主制御基板３４からのコマンドにより、遊技盤４  側の遊技動作に関連してスピーカ等の音声発生手段から発生する効果音を制御する音声制御基板３６が収納されている。
【００１６】
なお、各制御基板３４〜３６には、ＣＰＵ、ＲＡＭ、ＲＯＭ、その他の所定の電子部品が装着されている。各制御基板ケース３１〜３３、少なくとも主制御基板ケース３１は、無色透明、着色透明、その他の適宜合成樹脂材料を使用するか、又は適宜透視窓を形成して、内部の制御基板を外側から透視できるようになっている。
【００１７】
主制御基板ケース３１とランプ制御基板ケース３２、主制御基板ケース３１と音声制御基板ケース３３は、図３及び図４に示すように上下に近接して配置されており、その対向部側で主制御基板３４とランプ制御基板３５、主制御基板３４と音声制御基板３６が夫々電気配線３７，３８  で接続され、その各電気配線３７，３８  が開閉及び着脱自在な保護カバー５３により裏側から覆われている。
【００１８】
なお、電気配線３７，３８  による各制御基板３４〜３６の接続構造、保護カバー５３による各電気配線３７，３８  の保護構造は、この実施形態ではランプ制御基板３５側、音声制御基板３６側とも略同じであるため、以下、ランプ制御基板３５側について詳述し、音声制御基板３６側についてはその説明を省略する。
【００１９】
主制御基板ケース３１及びランプ制御基板ケース３２は、図５〜図７に示すように、所定の深さを有するケース本体３９，４０  と、このケース本体３９，４０  の開口側を塞ぐケース蓋体４１，４２  とを着脱自在に備え、ケース蓋体４１，４２  が後壁２９側となるように裏カバー２１に装着されている。そして、各制御基板ケース３１，３２  内には、ケース本体３９，４０  とケース蓋体４１，４２  との間に、ケース蓋体４１，４２  側に接近するように制御基板３４，３５  が着脱自在に介在されている。
【００２０】
各ケース本体３９，４０  の対向部側には、制御基板３４，３５  に当接又は近接する近接壁４３，４４  を備えた凹部４５，４６  が形成され、その近接壁４３，４４  に、制御基板３４，３５  側の基板コネクタ４７，４８  が嵌合するコネクタ孔４９，５０  が制御基板３４，３５  の端縁に沿って形成されている。
【００２１】
電気配線３７，３８  は、例えばフラットケーブル、複数本のリード線、その他のものによって構成され、両端に外部コネクタ５１，５２  を備え、その外部コネクタ５１，５２  が凹部４５，４６  側で基板コネクタ４７，４８  に着脱自在に接続されている。なお、電気配線３７，３８  は、例えば中間の屈曲部分がケース本体３９，４０  から後方に突出する程度の所定の余裕を持った長さである。
【００２２】
保護カバー５３は、図５〜図７に示すように、少なくとも電気配線３７，３８  を覆い得る大きさであって、略四角形状等の所定形状に構成され、左右方向の一端側の枢支手段５４により裏カバー２１と主制御基板ケース３１とに跨がって開閉及び着脱自在に枢支されると共に、電気配線３７，３８  の保護位置で係止手段５５によりランプ制御基板ケース３２に着脱自在に係止されている。
【００２３】
枢支手段５４は上下方向に一対設けられ、保護カバー５３側に一体に形成された枢軸５６と、裏カバー２１の突出部３０と主制御基板ケース３１とに枢軸５６に対応して一体に形成された軸受け部５７とを備え、その枢軸５６が軸受け部５７に上側から軸心方向に挿脱自在で且つ軸心廻りに回動自在に挿入されている。
【００２４】
係止手段５５は左右方向に一対設けられ、ランプ制御基板ケース３２に形成された係止部５８と、保護カバー５３側に一体に形成された係止爪５９とを備え、その係止爪５９が係止部５８に対して左右方向の内側から係脱自在に係合するようになっている。
【００２５】
係止爪５９は、保護カバー５３から前側に突出すると共に、左右方向に弾性変形するように、その後部側が屈曲部６０を介して保護カバー５３に一体に設けられている。また保護カバー５３には、各係止爪５９の外側に指挿入孔６１が形成され、保護カバー５３の係止を解除する際に、この各指挿入孔６１から指を挿入して各係止爪５９を内側に弾性変形させるようになっている。
【００２６】
なお、枢支手段５４、係止手段５５は１個でも良いし、２個以上の複数個でも良い。枢支手段５４は、上下一対の軸受け部５７を裏カバー２１の突出部３０側に設け、裏カバー２１側のみで保護カバー５３を枢支する構造でも良い。保護カバー５３は、主制御基板ケース３１及びランプ制御基板ケース３２に枢支手段５４を介して取り付けても良い。この場合、係止手段５５は、主制御基板ケース３１又はランプ制御基板ケース３２に設けても良い。
【００２７】
また保護カバー５３は、主制御基板ケース３１又はランプ制御基板ケース３２に枢支手段５４を介して取り付けても良い。この場合には、係止手段５５は、枢支手段５４と反対側のランプ制御基板ケース３２又は主制御基板ケース３１に設けることが望ましい。枢支手段５４と係止手段５５は、極力間隔をあけて配置することが望ましい。
【００２８】
上記構成の弾球遊技機によれば、次のような利点がある。即ち、主制御基板ケース３１の主制御基板３４とランプ制御基板ケース３２内のランプ制御基板３５とを電気配線３７，３８  で接続し、主制御基板ケース３１の主制御基板３４と音声制御基板ケース３３内の音声制御基板３６とを電気配線３７，３８  を介して電気的に接続している。しかし、この各電気配線３７，３８  を裏側から覆う保護カバー５３を設けているので、従来のように電気配線３７，３８  が裏側に露出することがなく、遊技盤４  の裏側の見栄えが向上すると共に、弾球遊技機本体１  の裏側の点検、或いは遊技盤４  の着脱等に際しても、電気配線３７，３８  を引っ掛けて断線したり、コネクタ４７，４８，５１，５２  が損傷する等という問題が生じ難くなり、容易に作業を行うことができる。
【００２９】
また保護カバー５３は枢支手段５４を介して開閉及び着脱自在であり、電気配線３７，３８  の保護状態で係止手段５５により係脱自在に係止しているので、ランプ制御基板ケース３２、音声制御基板ケース３３を着脱する場合には、保護カバー５３を容易に開閉又は着脱できる。従って、保護カバー５３で電気配線３７，３８  を保護する構造であるにも拘わらず、各部の点検等を行う際に保護カバー５３が邪魔になることもなく、点検等を容易に行うことができる。
【００３０】
保護カバー５３を開放する場合には、各指挿入孔６１に指を挿入して一対の係止爪５９を内側に押圧すれば、係止爪５９が内側へと弾性変形して容易に係止部５８から離脱する。そして、指を挿入したままの状態で保護カバー５３を後方側へと引けば、保護カバー５３が枢支手段５４の枢軸５６廻りに後方へと回動し、図４に音声制御基板ケース３３側の保護カバー５３の開放状態を示すように、保護カバー５３を容易に開放できる。
【００３１】
保護カバー５３を閉じる場合には、保護カバー５３を枢支手段５４の枢軸５６廻りに逆方向に回動させた後、この保護カバー５３を前方へと押圧すれば、一対の係止爪５９が内側へと弾性変形して係止部５８に係合し、これによって保護カバー５３を電気配線３７，３８  の保護位置に容易且つ確実に固定できる。
【００３２】
保護カバー５３を着脱する場合には、保護カバー５３を後方に開放した状態で、枢支手段５４の枢軸５６を軸受け部５７に上下方向に挿脱すれば良い。従って、保護カバー５３の着脱も容易にできる。
【００３３】
枢支手段５４は、裏カバー２１の突出部３０と、裏カバー２１に装着された主制御基板ケース３１とに設けているので、一対の枢支手段５４間の間隔を確保でき、保護カバー５３を安定良く枢支できる。しかも一方の枢支手段５４が裏カバー２１と一体の突出部３０側にあるため、裏カバー２１に着脱自在な主制御基板ケース３１側に一対の枢支手段５４を設ける場合に比較して、保護カバー５３のガタツキ等を極力少なくできる。
【００３４】
裏カバー２１の略中央上部に突出部３０を設けているため、遊技盤４  側の液晶表示手段１３等の主遊技部品が、後方への突出量が大きい大型の場合にも、その主遊技部品を裏カバー２１内に容易に収納できる。また裏カバー２１の裏側で突出部３０を除く部分に各制御基板ケース３１〜３３を配置しているので、裏カバー２１の裏側に各制御基板ケース３１〜３３を効率的に配置でき、しかも裏カバー２１の裏側に各制御基板ケース３１〜３３があるにも拘わらず、遊技盤４  から後方への突出量を小さくでき、全体をコンパクトにできる。また突出部３０、制御基板ケース３１〜３３の遊技盤４  から後方への突出量を略同じにしているので、遊技盤４  の裏側が整然となり、また枢支手段５４、保護カバー５３の構造を簡単にできる。
【００３５】
図８及び図９は本発明の第２の実施形態を例示し、保護カバー５３に、電気配線３７，３８  が収まる配線処理部６２を設けたものである。各制御基板ケース３１，３２  は、第１の実施形態とは略逆構造であって、ケース本体３９，４０  が裏カバー２１側にあり、そのケース本体３９，４０  の裏側にケース蓋体４１，４２  が設けられている。ケース蓋体４１，４２  には、近接壁４３，４４  を有する凹部４５，４６  が形成され、このケース蓋体４１，４２  側から制御基板側の基板コネクタ４７，４８  に、電気配線３７，３８  側の外部コネクタ５１，５２  を着脱自在に接続する構造になっている。
【００３６】
この場合には、外部コネクタ５１，５２  と保護カバー５３との間隔が比較的小さくなるので、保護カバー５３側の電気配線３７，３８  に対応する部分に、溝状、その他の凹入形状の配線処理部６２を形成し、この配線処理部６２内に電気配線３７，３８  が収まるようにすることが望ましい。これによって電気配線３７，３８  の無理な押圧を防止できると共に、電気配線３７，３８  の横方向への屈曲等を防止できる。
【００３７】
図１０は本発明の第３の実施形態を例示し、裏カバー２１の裏側の上部に主制御基板ケース３１を配置し、この主制御基板ケース３１の下側にランプ制御基板ケース３２と音声制御基板ケース３３とを左右に配置し、その各電気配線３７，３８  を１枚の保護カバー５３で覆うようにしたものである。
【００３８】
裏カバー２１の後壁２９には、その上部側に突出部３０があり、下部側の突出量が上部側よりも若干小さくなっている。裏カバー２１の突出部３０側に主制御基板ケース３１が着脱自在に装着され、またその下側にランプ制御基板ケース３２と音声制御基板ケース３３とが着脱自在に装着されている。主制御基板ケース３１は、ランプ制御基板ケース３２、音声制御基板ケース３３よりも前後方向の寸法が若干小さくなっており、各制御基板ケース３１〜３３の遊技盤４  から後方への突出量は、略同一になっている。
【００３９】
保護カバー５３は、各電気配線３７，３８  に対応する部分にカバー部６３，６４  を備えた横長状であって、一端側で上下一対の枢支手段５４を介して主制御基板ケース３１と音声制御基板ケース３３とに開閉、着脱自在に枢支され、また他端側の係止手段５５を介して主制御基板ケース３１に係脱自在に係止されている。なお、枢支手段５４、係止手段５５の構造は、第１の実施形態と略同様である。
【００４０】
この場合にも、第１の実施形態と略同様に、各電気配線３７，３８  を保護カバー５３で保護でき、電気配線３７，３８  の損傷等を防止できる。また保護カバー５３に、各電気配線３７，３８  に対応してカバー部６３，６４  を設け、１個の保護カバー５３で複数箇所の電気配線３７，３８  を保護するため、保護カバー５３の数が少なくなり、構造的に簡単になると共に、部品点数を削減できる。
【００４１】
なお、ランプ制御基板ケース３２と音声制御基板ケース３３とを左右逆に配置し、下側の枢支手段５４をランプ制御基板ケース３２に設けても良い。また主制御基板ケース３１を下側に、ランプ制御基板ケース３２と音声制御基板ケース３３とを上側に配置しても良い。要するに主制御基板ケース３１が上下の何れかにあり、何等かの副制御基板ケース３２，３３  がその反対側に１個以上あれば良い。
【００４２】
また裏カバー２１の上部側を突出部３０のみとし、その下側に主制御基板ケース３１と１個又は複数個の副制御基板ケース３２，３３  とを左右に配置し、突出部３０と主制御基板ケース３１又は副制御基板ケース３２，３３  とに枢支手段５４を介して保護カバー５３を枢支しても良い。
【００４３】
図１１は本発明の第４の実施形態を例示し、保護カバー５３を所要方向に摺動させて着脱自在に装着するようにしたものである。この実施形態では、主制御基板ケース３１とランプ制御基板ケース３２とに左右方向の摺動案内部６５が設けられ、保護カバー５３に、各摺動案内部６５に摺動自在に係合する摺動係合部６６が設けられている。なお、保護カバー５３は、電気配線３７，３８  を保護する保護位置で係合爪６７により係脱自在に固定されている。係合爪６７は、主制御基板ケース３１とランプ制御基板ケース３２とに１個づつ設けられているが、何れか一方のみでも良い。
【００４４】
この実施形態に例示するように、保護カバー５３は所要方向に摺動させて開閉及び／又は着脱するようにしても良い。
【００４５】
以上、本発明の実施形態について詳述したが、本発明は各実施形態に限定されるものではなく、本発明の趣旨を逸脱しない範囲で種々の変更が可能である。例えば、保護カバー５３は、第１の実施形態に例示の枢支手段５４、係止手段５５を利用する構造、第４の実施形態に例示の摺動構造の他、必要に応じて電気配線３７，３８  側を開閉できるものであれば、どのような構造、手段等を介して取り付けるようにしても良い。また係止手段５５は、保護カバー５３を電気配線３７，３８  の保護位置で係脱自在に係止できるものであれば良い。
【００４６】
各実施形態では、副制御基板としてランプ制御基板３５、音声制御基板３６を例示し、副制御基板ケースとしてランプ制御基板ケース３２、音声制御基板ケース３３を例示しているが、これらに限定されるものではなく、他の制御基板、制御基板ケースでも同様に実施可能である。また遊技盤４  側の各制御基板ケース３１〜３３の他、裏機構板２０側に装着される各種の制御基板ケース等においても同様に実施可能である。
【００４７】
遊技盤４  の裏カバー２１の裏側に各制御基板ケース３１〜３３を設ける場合、実施形態に例示のように必ずしも各制御基板ケース３１〜３３の後端側を略面一状に構成する必要はない。つまり、複数個の枢支手段５４を介して保護カバー５３を所要部材、例えば突出部３０及び主制御基板ケース３１に枢着する場合、その枢軸５６の軸心が一致する構造であれば良く、各制御基板ケース３１〜３３毎に突出量が異なるようにしても良い。
【００４８】
保護カバー５３を枢着する所要部材は、裏カバー２１、主制御基板ケース３１等の他、制御基板ケース３１〜３３の近傍にある部材であれば、何であっても良い。しかし、構造的には、電気配線３７，３８  を介して接続された基板３４〜３６を収納する基板ケース３１〜３３の内、その少なくとも一方の基板ケース３１を利用して保護カバー５３を枢着することが望ましい。
【００４９】
保護カバー５３は、各実施形態では略平坦な平板状に構成しているが、電気配線３７，３８  の配置部位に応じて凹凸形状、屈曲形状等に構成しても良い。要するに保護カバー５３は、電気配線３７，３８  を覆い得る構造であれば良い。
【００５０】
また本発明はパチンコ機、アレンジボール機、雀球遊技機等の各種の弾球遊技機は勿論のこと、弾球遊技機以外の回動式遊技機等においても同様に実施可能である。
【００５１】
【発明の効果】
本発明によれば、遊技盤４  の裏側に、該遊技盤４  側が開放する中空状に構成され且つ該遊技盤４  に装着された遊技部品１３を裏側から覆う裏カバー２１を装着し、該裏カバー２１の後壁２９に、遊技盤４  側から後方に突出する遊技部品１３と干渉しないように後方に張り出す突出部３０と、該突出部３０よりも低くなった部分とを設け、低くなった部分の裏側に、遊技盤４  側の遊技動作を制御する主制御基板３４が収納された主制御基板ケース３１と、遊技動作に関連して所定の部位を制御する副制御基板３５，３６  が収納された副制御基板ケース３２，３３  とを着脱自在に装着し、突出部３０及び各制御基板ケース３１〜３３の後端を、遊技盤４  から後方への突出量が略同一の略平坦状に構成し、主制御基板ケース３１と副制御基板ケース３２，３３  の対向部側に主制御基板３４と副制御基板３５，３６  とを接続する電気配線３７，３８  を設け、該電気配線３７，３８  を覆う保護カバー５３を所要部材３０〜３３に開閉及び／又は着脱自在に設けているので、遊技盤４  側の主遊技部品１３に大形のものを採用できると共に、裏カバー２１の突出部３０、主制御基板ケース３１〜３３３１及び副制御基板ケース３１〜３３の後方への突出量を小さくでき、しかも電気配線３７，３８  を保護カバー５３により確実に保護できる。
【図面の簡単な説明】
【図１】本発明の第１の実施形態を示す弾球遊技機の正面図である。
【図２】本発明の第１の実施形態を示す弾球遊技機の側面図である。
【図３】本発明の第１の実施形態を示す弾球遊技機の背面図である。
【図４】本発明の第１の実施形態を示す裏カバー側の斜視図である。
【図５】本発明の第１の実施形態を示す保護カバー部分の一部破断背面図である。
【図６】本発明の第１の実施形態を示す保護カバー部分の縦断面図である。
【図７】本発明の第１の実施形態を示す保護カバー部分の横断面図である。
【図８】本発明の第２の実施形態を示す保護カバー部分の縦断面図である。
【図９】本発明の第２の実施形態を示す保護カバー部分の横断面図である。
【図１０】本発明の第３の実施形態を示す保護カバー側の背面図である。
【図１１】本発明の第４の実施形態を示す保護カバー部分の縦断面図である。
【符号の説明】
１      弾球遊技機本体
４      遊技盤
１３    液晶表示手段（遊技部品）
２１    裏カバー
２９    後壁
３０    突出部
３１    主制御基板ケース
３２    ランプ制御基板ケース
３３    音声制御基板ケース
３４    主制御基板
３５    ランプ制御基板
３６    音声制御基板
３７，３８      電気配線
５３    保護カバー
５５    係止手段
５６    枢軸
５７    軸受け部
５８    係止部
５９    係止爪
６２    配線処理部
【図１】
0003594234.tif 000002
【図２】
0003594234.tif 000003
【図３】
0003594234.tif 000004
【図４】
0003594234.tif 000005
【図５】
0003594234.tif 000006
【図６】
0003594234.tif 000007
【図７】
0003594234.tif 000008
【図８】
0003594234.tif 000009
【図９】
0003594234.tif 000010
【図１０】
0003594234.tif 000011
【図１１】
0003594234.tif 000012